(57)【要約】【課題】油圧エレベータをロープ式のエレベータにリニューアルするに当り、既設品を有効利用してリニューアル後の制御に用いられる制御盤を取り付けることにより、工期の短縮と、及びエレベータの完全停止期間の短縮が可能で、廃棄品も削減することができるエレベータ設備及びこのエレベータ設備のリニューアル方法を提供する【解決手段】昇降路１０内の乗りかご１の背面空間に油圧ジャッキ２が立設され、メインロープを、油圧ジャッキ２のプランジャーシーブ２ａに巻き掛けた油圧式エレベータを、油圧ジャッキ２及びその両側に立設された一対のプランジャーガイドレール３を残存させた状態で、巻上機を用いたロープ式のエレベータにリニューアルする際、リニューアル後のロープ式エレベータを制御する制御盤５を、昇降路１０内の乗りかご１の垂直投影面から外れ、かつ、油圧ジャッキ２の垂直投影面から外れ、しかも乗りかご１上からの点検作業が可能な位置に設置した。【選択図】図１
2011068436.tif 000002
【特許請求の範囲】
【請求項１】
昇降路内に昇降可能に設置された乗りかごの一側面と前記昇降路の内壁との間に油圧ジャッキが立設され、一端を昇降路内下部に固定し他端を前記乗りかご側に固定したロープを、上記油圧ジャッキのプランジャーシーブに巻き掛けた油圧式エレベータを、前記油圧ジャッキ及びその両側に立設された一対のプランジャーガイドレールを残存させた状態で、巻上機を用いたロープ式のエレベータにリニューアルするエレベータ設備であって、
リニューアル後のロープ式エレベータを制御する制御盤を、前記昇降路内の前記乗りかごの垂直投影面から外れ、かつ、前記油圧ジャッキの前記プランジャーシーブの垂直投影面から外れ、しかも前記乗りかご上からの点検作業が可能な位置に設置したことを特徴とするエレベータ設備。
【請求項２】
前記制御盤は、ブラケットを介して前記昇降路内に残存したプランジャーガイドレールに取り付けられていることを特徴とする請求項１に記載のエレベータ設備。
【請求項３】
前記制御盤は、ブラケットを介して前記昇降路内に新設されたカウンターウエイト用のガイドレールに取り付けられていることを特徴とする請求項１に記載のエレベータ設備。
【請求項４】
前記制御盤は、前記油圧ジャッキの前記プランジャーシーブの垂直投影面から外れた位置から、前記乗りかごの垂直投影面から外れてはいるがこの乗りかごの垂直投影面により接近した位置へと、移動可能に構成されていることを特徴とする請求項１乃至請求項３のいずれかに記載のエレベータ設備。
【請求項５】
前記制御盤は、上下に分割されており、下側部分が、上側部分の前面に移動可能に連結されていることを特徴とする請求項１乃至請求項４のいずれかに記載のエレベータ設備。
【請求項６】
昇降路内に昇降可能に設置された乗りかごの一側面と前記昇降路の内壁との間に油圧ジャッキが立設され、一端を昇降路内下部に固定し他端を前記乗りかご側に固定したロープを、上記油圧ジャッキのプランジャーシーブに巻き掛けた油圧式エレベータを、前記油圧ジャッキ及びその両側に立設された一対のプランジャーガイドレールを残存させた状態で、巻上機を用いたロープ式のエレベータにリニューアルするエレベータ設備のリニューアル方法であって、
油圧式エレベータとしての運用期間中に、リニューアル後のロープ式エレベータを制御する制御盤を、前記昇降路内の前記乗りかごの垂直投影面から外れ、かつ、前記油圧ジャッキの前記プランジャーシーブの垂直投影面から外れ、しかも前記乗りかご上からの点検作業が可能な位置に設置することを特徴とするエレベータ設備のリニューアル方法。
【発明の詳細な説明】
【技術分野】
【０００１】
本発明は、油圧エレベータを、巻上機を有するロープ式エレベータにリニューアルするエレベータ設備、及びエレベータ設備のリニューアル方法に関する。
【背景技術】
【０００２】
従来、比較的階床数の少ない低層構造のマンションなどには、昇降路の上方に機械室を設ける必要の無い油圧式のエレベータ（例えば、特許文献１参照）が用いられていた。しかしながら、油圧エレベータは、油タンクや配管などが必要であり、配管には油漏れが生じることが考えられ、これらの取り扱いは煩わしいものであった。
【０００３】
これに対し、巻上機を有するロープ式のエレベータ分野において、昇降路上に機械室が突出することの無い、所謂マシンルームレスのエレベータが開発されており、従来の油圧式エレベータに代って、比較的低層構造のマンションなどでも広く用いられるようになった。そこで、油圧エレベータをリニューアルする場合、昇降路上部にエレベータ機械室が設置できない等のスペース上の制約により、マシンルームレスのロープ式エレベータヘのリニューアルが行われている。
【０００４】
このように、近年の環境問題から、エレベータは、油を用いた油圧式のエレベータは台数が激減し、大多数をロープ式エレベータが占める。そのため、古くなった油圧式エレベータをリニューアルする場合においても、ロープ式のエレベータシステムに変更することがほとんどである。
【先行技術文献】
【特許文献】
【０００５】
【特許文献１】特開平１０-３３００６０号公報
【発明の概要】
【発明が解決しようとする課題】
【０００６】
従来の油圧エレベータをロープ式エレベータへ変更するリニューアル方法では、既設の乗りかごを撤去し、さらに油圧ジャッキやメインレールなど、昇降路の用品全てを撤去し、最新式のエレベータシステムを、そのまま昇降路内に設置していた。そのため、制御盤もメインレールなど、新規に設置される用品に取り付けられていた。このようなリニューアル方法では、全ての用品が最新式になるものの、既設用品を全て撤去し、さらに新規のエレベータシステムを全て設置することから、工期が非常に長くなり、不要な廃棄品も多くなっていた。
【０００７】
エレベータのリニューアル工事では、お客様の要望から、工期全体の短縮、及びエレベータの完全停止期間の短縮が一番の課題となる。このような課題を解決するために、油圧ジャッキ、及び油圧ジャッキに付属するプランジャーガイドレールを撤去することなくリニューアルすることが考えられている。
【０００８】
本発明の目的は、油圧エレベータをロープ式のエレベータにリニューアルするに当り、既設品を有効利用してリニューアル後の制御に用いられる制御盤を取り付けることにより、工期の短縮と、及びエレベータの完全停止期間の短縮が可能で、廃棄品も削減することができるエレベータ設備及びこのエレベータ設備のリニューアル方法を提供することにある。
【課題を解決するための手段】
【０００９】
本発明によるエレベータ設備は、昇降路内に昇降可能に設置された乗りかごの一側面と前記昇降路の内壁との間に油圧ジャッキが立設され、一端を昇降路内下部に固定し他端を前記乗りかご側に固定したロープを、上記油圧ジャッキのプランジャーシーブに巻き掛けた油圧式エレベータを、前記油圧ジャッキ及びその両側に立設された一対のプランジャーガイドレールを残存させた状態で、巻上機を用いたロープ式のエレベータにリニューアルするエレベータ設備であって、リニューアル後のロープ式エレベータを制御する制御盤を、前記昇降路内の前記乗りかごの垂直投影面から外れ、かつ、前記油圧ジャッキの前記プランジャーシーブの垂直投影面から外れ、しかも前記乗りかご上からの点検作業が可能な位置に設置したことを特徴とする。
【００１０】
本発明では、前記制御盤は、ブラケットを介して前記昇降路内に残存したプランジャーガイドレールに取り付けられている。
【００１１】
また、本発明では、前記制御盤は、ブラケットを介して前記昇降路内に新設されたカウンターウエイト用のガイドレールに取り付けてもよい。
【００１２】
また、本発明では、前記制御盤は、前記油圧ジャッキの前記プランジャーシーブの垂直投影面から外れた位置から、前記乗りかごの垂直投影面から外れてはいるがこの乗りかごの垂直投影面により接近した位置へと、移動可能に構成するとよい。
【００１３】
さらに、本発明では、前記制御盤は、上下に分割されており、下側部分が、上側部分の前面に移動可能に連結されている構成でもよい。
【００１４】
また、本発明によるエレベータ設備のリニューアル方法は、油圧式エレベータとしての運用期間中に、リニューアル後のロープ式エレベータを制御する制御盤を、前記昇降路内の前記乗りかごの垂直投影面から外れ、かつ、前記油圧ジャッキの前記プランジャーシーブの垂直投影面から外れ、しかも前記乗りかご上からの点検作業が可能な位置に設置することを特徴とする。
【発明の効果】
【００１５】
本発明によれば、昇降路内に油圧ジャッキ及びそのフランジャーガイドレールを残存させるので、廃棄品も削減することができる。また、リニューアル後の制御に用いられる制御盤を、これら残存機器の稼働範囲を避けた位置に設置するので、この制御盤を設置する時点においても油圧式エレベータとして運用が可能であり、リニューアル工事の工期が短縮されると共に、エレベータの完全停止期間を短縮することができる。
【図面の簡単な説明】
【００１６】
【図１】本発明によるエレベータ設備の一実施の形態を示す平面図である。
【図２】図１の変形例を示す平面図である。
【図３Ａ】本発明の他の実施の形態における制御盤の、移動前の状態を示す側面図である。
【図３Ｂ】図３Ａで示した制御盤の、移動後の状態を示す側面図である。
【図４Ａ】本発明のさらに他の実施の形態における上下分割した制御盤の移動前の状態を示す側面図である。
【図４Ｂ】図４Ａで示した制御盤の、下側部分の移動後の状態を示す側面図である。
【図５】リニューアル前の油圧式エレベータの概略構成を示す平面図である。
【発明を実施するための形態】
【００１７】
以下、本発明の一実施の形態について、図面を用いて詳細に説明する。
【００１８】
始に、リニューアル前の油圧式エレベータの概略構成を、図５を用いて説明する。図５は油圧式エレベータの昇降路平面イメージ図である。昇降路１０内部には、乗りかご１が、その左右両側に設けられたガイドレールにより昇降可能に案内支持されている。油圧ジャッキ２は、昇降路１０内の、乗りかご１の背面部空間内に、図示左側に寄せられて設置されている。この油圧ジャッキ２は、図示しない油圧ポンプ装置から圧送もしくは戻入れされる作動油により、プランジャーの上端に設けられたプランジャーシーブ２ａを上昇・下降させる。このプランジャーシーブ２ａには、図示しないが駆動ロープが巻き掛けられており、油圧ジャッキ２によりプランジャーシーブ２ａを上下動させることにより、この駆動ロープを介して乗りかご１を昇降させる。また、油圧ジャッキ２の両側にはプランジャーガイドレール３が設けられている。このプランジャーガイドレール３は、プランジャーシーブ２ａを垂直方向に案内する。この油圧ジャッキ４は、 昇降路１０の下部にあるピットに架台等を介して設置されたシリンダ内の作動油によってプランジャーを稼動するもので、例えば、シリンダはかごの昇降行程の半分以上の長さが必要となる。
【００１９】
なお、図５は油圧ジャッキ２を乗りかご１の背面空間に設置したものを例示しているが、油圧ジャッキ２を乗りかご１の側面空間に設置したものもあるが、基本的構成は図５の背面空間設置のものと同じである。
【００２０】
図１は、このような油圧式エレベータを、巻上機を有するロープ式エレベータにリニューアルする場合の昇降路平面イメージ図である。図１において、昇降路１０内には、リニューアル前と同様に乗りかご１が昇降可能に設置され、その一側面（背面）と昇降路の内壁との間に油圧ジャッキ２が立設されている。また、この油圧ジャッキ２の両側には一対のプランジャーガイドレール３が立設されている。
【００２１】
このような油圧式エレベータをロープ式のエレベータにリニューアルする場合、リニューアル後のロープ式エレベータを制御する制御盤５を昇降路１０内に設置する。この制御盤５は、乗りかご１の背面空間上部の、油圧ジャッキ２のプランジャーシーブ２ａの昇降動作に干渉しない位置、すなわち、これらプランジャーシーブ２ａの垂直投影面から外れた位置に設置する。この設置位置は、乗りかご１に対しても、その昇降動作に干渉しない垂直投影面から外れた位置でもある。さらに、この制御盤の保守点検作業は、乗りかご１上から行うが、制御盤５の設置位置は、乗りかご１の背面近くに対向配置されているため、乗りかご１上からの点検作業が可能な位置でもある。
【００２２】
また、この制御盤５の支持構造は、ブラケット４により昇降路１０内に残存したプランジャーガイドレール３に取り付けた構造である。ブラケット４はプランジャーガイドレール３にレールクリップなどで固定されている。また、ブラケット４と制御盤５はボルトなどの締結部材により締結されている。
【００２３】
このように、制御盤５を油圧ジャッキ２のプランジャーシーブ２ａの垂直投影面と重ならない位置に配置することで、エレベータを完全に停止して行う工事期間中より以前に設置工事が可能なため、エレベータの完全停止期間を短縮することができる。すなわち、この制御盤５を設置した時点においても油圧式エレベータとして運用が可能であり、リニューアル工事の工期が短縮されると共に、エレベータの完全停止期間を短縮することができる。
【００２４】
図1では、制御盤５をブラケット４によりプランジャーガイドレール３に連結し、このプランジャーガイドレール３によって支持しているが、この支持構造に限定されるものではない。例えば、油圧ジャッキ２は、乗りかご１の背面空間の図示左側に寄せて設置されており、その図示右側空間は空きスペースとなっている。この右側空間には、図示しないが、リニューアル後のロープ式エレベータにおいて必要となるカウンターウエイトが、そのガイドレール（以下、カウンターガイドレールと呼ぶ）と共に設置される。したがって、図１で示したように、油圧ジャッキ２のプランジャーシーブ２ａの垂直投影面と重ならないように配置された制御盤５を、図示のようにブラケット４を介してプランジャーガイドレール３によって支持する代わりに、図示右側空間に立設される図示しないカウンターガイドレールにブラケットを介して連結し、このカウンターガイドレールによって制御盤５を支持する構成としてもよい。
【００２５】
また、制御盤５は、図２で示すように、一端をプランジャーガイドケーブル３に連結したブラケット４により、乗りかご１の側方空間に設置してもよい。この側方空間も、乗りかご１の垂直投影面から外れ、かつ、油圧ジャッキ２のプランジャーシーブ２ａの垂直投影面から外れ、しかも乗りかご１上からの点検作業が可能な位置である。制御盤５をこのような位置に設置した場合も、油圧式エレベータとして運用は可能であり、リニューアル工事の工期が短縮されると共に、エレベータの完全停止期間を短縮することができる。
【００２６】
次に、図３で示す実施の形態を説明する。図１では、制御盤５を油圧ジャッキ２のプランジャーシーブ２ａの垂直投影面と重ならない位置に配置したが、このようにすると乗りかご１からの距離が遠くなるため、乗りかご１上からの保守点検作業が行い難くなる可能性がある。そこで、この実施の形態では、制御盤５を、図３Ａで示す油圧ジャッキ２のプランジャーシーブ２ａの垂直投影面から外れた位置から、図３Ｂで示す乗りかご１の垂直投影面から外れてはいるがこの乗りかご１の垂直投影面により接近した位置へと、移動可能に構成する。
【００２７】
例えば、図示のようにブラケット４を介して水平方向のスライドレール６を設け、制御盤５をスライド可能に構成する。スライドレール６は、ブラケット４と制御盤５の間に入れる。このように構成すれば、制御盤５を、図３Ａで示す乗りかご１に対して比較的遠い位置から、図３Ｂで示す乗りかご１に接近した位置まで移動させることができるので、乗りかご１上からの保守点検作業が容易になる。
【００２８】
なお、図３は制御盤５の側面から見た図であり、見易いようにプランジャーガイドレール３は省略している。
【００２９】
次に、図４で示す実施の形態を説明する。油圧式エレベータは昇降行程が短い場合がある。リニューアル後に用いられる制御盤５は狭い昇降路内に設置することを踏まえ、投影面積を小さくするため縦長の形状をしている。そのため、昇降行程の短いエレベータ設備に適用した場合、制御盤５の下側部分の点検作業がし難い場合がある。そこで、この実施の形態では、図示のように、制御盤５を下側部分５ａと上側部分５ｂとに分割し、これらをヒンジ７などにより連結し、紐や棒８で下側の制御盤部分５ａを持ち上げ、上側の制御盤部分５ｂの前面に移動させるように構成した。このように構成することにより、下側の制御盤部分５ａも点検作業が容易になる。
【００３０】
以上詳述したように、油圧式エレベータをロープ式のエレベータシステムにリニューアルするに当り、既設の油圧ジャッキ２、及びプランジャーガイドレール３を撤去することがないので、廃棄品の量を減らすことができ、環境配慮となる。また、油圧ジャッキ２により油圧式エレベータとしての運用可能な状態において制御盤５を取り付けることができるので、工事期間を短縮できると共に、エレベータの完全停止期間を短縮することができる。
【００３１】
さらに、制御盤５自体をスライドレールのようなもので移動可能に構成したり、制御盤５を上下に分割し、下側の制御盤部分５ａを持ち上げることで、上側の制御盤部分５ｂの前面に移動できるようにすることなどにより、リニューアル後における制御盤５の保守点検作業が容易になる。
【符号の説明】
【００３２】
１…乗りかご
２…油圧ジャッキ
２ａ…プランジャーシーブ
３…プランジャーガイドレール
４…ブラケット
５…制御盤
【図１】
2011068436.tif 000003
【図２】
2011068436.tif 000004
【図３Ａ】
2011068436.tif 000005
【図３Ｂ】
2011068436.tif 000006
【図４Ａ】
2011068436.tif 000007
【図４Ｂ】
2011068436.tif 000008
【図５】
2011068436.tif 000009